(57)【要約】【課題】  支柱の基礎を埋め込んだ基礎形成用コンクリートが固まるまでの間コンクリート内において支柱を規定のレベル位置で垂直状態に立設維持させることができる支柱自立用固定三脚及び支柱の設置方法の提供。【解決手段】  下部を開いた３本の支持脚１ａ、１ｂ、１ｃの上部結束部２に、支柱３を空中に浮かせた垂直起立状態で自立支持固定可能な固定手段４を備え、固定手段４は、上端結束部２１と中間結束部２２の上下２箇所に備えられた平面視で略く字状支柱受け部４１、４２と、上下両支柱受け部４１、４２の中間位置において支柱５を両支柱受け部４１、４２へ向けて押し付けて挟持固定する固定部材４３と、を備えている。【選択図】      図３
2013227734.tif 000002
【特許請求の範囲】
【請求項１】
下部を開いた３本の支持脚の上部結束部に、支柱を空中に浮かせた垂直起立状態で自立支持固定可能な固定手段を備えることを特徴とする支柱自立用固定三脚。
【請求項２】
請求項１に記載の支柱自立用固定三脚において、
前記固定手段は、前記上部結束部の上下２箇所に備えられた平面視で略く字状支柱受け部と、前記上下両支柱受け部の中間位置において支柱を上下両支柱受け部へ向けて押し付けて挟持固定する固定部材と、を備えることを特徴とする支柱自立用固定三脚。
【請求項３】
請求項１または２に記載の支柱自立用固定三脚において、
前記上部結束部には、水準器を備えることを特徴とする支柱自立用固定三脚。
【請求項４】
請求項１〜３のいずれか１項に記載の支柱自立用固定三脚において、
前記３本の支持脚の内の１本に前記上部結束部が固定され、残りの２本が上部結束部を中心として回動自在に連結されることにより３本の支持脚の側面が互いに重なる状態に折り畳み可能に構成されていることを特徴とする支柱自立用固定三脚。
【請求項５】
地面に縦穴を開ける第１工程と、
下部を開いた３本の支持脚の上部結束部に、支柱を空中に浮かせた垂直起立状態で自立支持固定可能な固定手段を備えた支柱自立用固定三脚を用い、前記縦穴内に差し込んだ支柱の下端を縦穴の底部から浮かせた状態で自立支持させる第２工程と、
前記縦穴にコンクリートを流し込んで固めることにより、コンクリート基礎に対し架台用支柱を立設固定する第３工程と、
前記固定手段による固定を解除して支柱自立用固定三脚を取り外す第４工程と、
からなることを特徴とする支柱設置方法。
【発明の詳細な説明】
【技術分野】
【０００１】
本発明は、例えば、メガソーラー発電施設の設置において、広大な土地に多数のソーラーパネルを設置する際に、ソーラーパネル架台用支柱の基部を埋め込んだ基礎コンクリートが固まるまでの間、支柱を自立固定しておくための支柱自立用固定三脚及び支柱の設置方法に関する。
【背景技術】
【０００２】
従来、メガソーラー発電施設を設置する場合、先ず設置すべき広大な土地に、等間隔のもとに基礎コンクリートを打設するための縦穴を開け、この縦穴内にソーラーパネル架台用支柱の基部を差し込んだ状態でコンクリートを流し込んで固めることにより、コンクリート基礎に対し架台用支柱を立設固定し、この各架台用支柱上にソーラーパネル架台を設置するようにしている（例えば、特許文献１、２参照）。
【先行技術文献】
【特許文献】
【０００３】
【特許文献１】特開平０８−１７０７９０号公報
【特許文献２】特開２００７−１９３３１号公報
【発明の概要】
【発明が解決しようとする課題】
【０００４】
しかしながら、上述のように、地面に開けた縦穴と支柱基部との間に基礎形成用コンクリートを流し込んだだけでは、コンクリート内において支柱を規定のレベル位置で垂直状態に維持させることができないという問題があった。
【０００５】
本発明の解決しようとする課題は、支柱の基礎を埋め込んだ基礎形成用コンクリートが固まるまでの間コンクリート内において支柱を規定のレベル位置で垂直状態に立設維持させることができる支柱自立用固定三脚及び支柱の設置方法を提供することにある。
【課題を解決するための手段】
【０００６】
上記課題を解決するため請求項１記載の支柱自立用固定三脚は、下部を開いた３本の支持脚の上部結束部に、支柱を空中に浮かせた垂直起立状態で自立支持固定可能な固定手段を備えることを特徴とする手段とした。
【０００７】
また、請求項２記載の支柱自立用固定三脚は、請求項１記載の支柱自立用固定三脚において、
前記固定手段は、前記上部結束部の上下２箇所に備えられた平面視で略く字状支柱受け部と、前記上下両支柱受け部の中間位置において支柱を上下両支柱受け部へ向けて押し付けて挟持固定する固定部材と、を備えることを特徴とする手段とした。
【０００８】
また、請求項３記載の支柱自立用固定三脚は、請求項１又は２に記載の支柱自立用固定三脚において、
前記上部結束部には、水準器を備えることを特徴とする手段とした。
【０００９】
また、請求項４記載の支柱自立用固定三脚は、請求項１〜３のいずれか１項に記載の支柱自立用固定三脚において、
前記３本の支持脚の内の１本に前記上部結束部が固定され、残りの２本が上部結束部を中心として回動自在に連結されることにより３本の支持脚の側面が互いに重なる状態に折り畳み可能に構成されていることを特徴とする手段とした。
【００１０】
また、請求項５記載の支柱の設置方法は、
地面に縦穴を開ける第１工程と、
下部を開いた３本の支持脚の上部結束部に、支柱を空中に浮かせた垂直起立状態で自立支持固定可能な固定手段を備えた支柱自立用固定三脚を用い、前記縦穴内に差し込んだ支柱の下端を縦穴の底部から浮かせた状態で自立支持させる第２工程と、
前記縦穴にコンクリートを流し込んで固めることにより、コンクリート基礎に対し架台用支柱を立設固定する第３工程と、
前記固定手段による固定を解除して支柱自立用固定三脚を取り外す第４工程と、
からなることを特徴とする手段とした。
【発明の効果】
【００１１】
請求項１記載の支柱自立用固定三脚では、上述のように、下部を開いた３本の支持脚の上部結束部に、支柱を空中に浮かせた垂直起立状態で自立支持固定可能な固定手段を備えることで、支柱の基礎を埋め込んだ基礎形成用コンクリートが固まるまでの間コンクリート内において支柱を規定のレベル位置で垂直状態に立設維持させることができるようになる。
【００１２】
また、上述のように、支柱を空中に浮かせた状態で自立させることができるため、支柱の下端をコンクリート内に埋め込むことができ、これにより、地中の水分で支柱の下端から錆を発生させることを阻止することができる。
【００１３】
請求項２記載の支柱自立用固定三脚では、上述のように、固定手段は、上下２箇所に備えられた支柱受け部と中間の固定部材との間に支柱を挟持固定するもので、前記支柱受け部の形状を平面視で略く字状とすることで、あらゆる断面形状の支柱を挟持固定することができるようになる。
【００１４】
請求項３記載の支柱自立用固定三脚では、上述のように、上部結束部には、水準器を備えることで、支柱を容易かつ正確に垂直起立状態にセットすることができるようになり、これにより、作業効率を高めることができるようになる。
【００１５】
請求項４記載の支柱自立用固定三脚では、上述のように、３本の支持脚の内の１本に前記上部結束部が固定され、残りの２本が上部結束部を中心として回動自在に連結されることにより３本の支持脚の側面が互いに重なる状態に折り畳み可能に構成されることで、コンパクトな状態での運搬や収納が可能になる。
【００１６】
請求項５記載の支柱の設置方法では、上述のように、下部を開いた３本の支持脚の上部結束部に、支柱を空中に浮かせた垂直起立状態で自立支持固定可能な固定手段を備えた支柱自立用固定三脚を用いることで、支柱の基礎を埋め込んだ基礎形成用コンクリートが固まるまでの間コンクリート内において支柱を規定のレベル位置で垂直状態に立設維持させることができるようになる。
【００１７】
また、上述のように、支柱を空中に浮かせた状態で自立させることができるため、支柱の下端をコンクリート内に埋め込むことができ、これにより、地中の水分で支柱の下端から錆を発生させることを阻止することができる。
【図面の簡単な説明】
【００１８】
【図１】実施例１の支柱自立用固定三脚の使用状態を示す平面図である。
【図２】実施例１の支柱自立用固定三脚の使用状態を示す正面図である。
【図３】実施例１の支柱自立用固定三脚の使用状態を示す斜視図である。
【図４】実施例１の支柱自立用固定三脚の折り畳み状態を示す平面図である。
【図５】実施例１の支柱自立用固定三脚の折り畳み状態を示す正面図である。
【図６（ａ）】ソーラーパネル架台用支柱の設置方法を示す第１工程図である。
【図６（ｂ）】ソーラーパネル架台用支柱の設置方法を示す第２工程図である。
【図６（ｃ）】ソーラーパネル架台用支柱の設置方法を示す第３工程図である。
【図６（ｄ）】ソーラーパネル架台用支柱の設置方法を示す第４工程図である。
【発明を実施するための形態】
【００１９】
以下にこの発明の実施例を図面に基づいて説明する。
【実施例１】
【００２０】
まず、この実施例１の支柱自立用固定三脚を図１〜５に基づいて説明する。
この支柱自立用固定三脚は、図１〜３に示すように、下部を開いた３本の支持脚１ａ、１ｂ、１ｃの上部結束部２に、支柱３を空中に浮かせた垂直起立状態で自立支持固定可能な固定手段４を備える。
【００２１】
さらに詳述すると、前記上部結束部２は、上端結束部２１と中間結束部２２で構成され、３本の支持脚１ａ、１ｂ、１ｃの内、折り畳みの中心となる支持脚１ｂその上端が上端結束部２１に固定され、中間が横バー１１ｂを介して中間結束部２２に固定されている。
一方、支持脚１ｂの両側に位置する２本の支持脚１ａ、１ｃは、その上端が上端結束部２１に対し回動自在に連結され、中間が横バー１１ａ、１１ｃを介して中間結束部２２に対し回動自在に連結されることにより、図４、５に示すように、３本の支持脚１ａ、１ｂ、１ｃの側面が互いに重なる状態に折り畳み可能となっている。
【００２２】
図１〜３に戻り、前記固定手段４は、上端結束部２１と中間結束部２２の上下２箇所に備えられた平面視で略く字状支柱受け部４１、４２と、上下両支柱受け部４１、４２の中間位置において支柱５を両支柱受け部４１、４２へ向けて押し付けて挟持固定する固定部材４３と、を備えている。
【００２３】
この固定部材４３は、先端に支柱３の中間部に係合するフック状係合部４３ａを有する締結ボルト４３ｂを、支持脚１ｂの横バー１１ｂと支持脚１ｂの上部との間を連結固定する状態に設けられた縦バー１２に形成された挿通孔に挿通し、締結ボルト４３ｂに締結ナッ４３ｃを螺合して、フック状係合部４３ａを略く字状支柱受け部４１、４２方向へ引き寄せることにより、略く字状支柱受け部４１、４２とフック状係合部４３ａとの間で支柱３を３点挟持した状態で固定するように構成されている。
【００２４】
また、上端結束部２１には、図１、４に示すように、支柱３の垂直起立状態で水平を示す水準器５を備えている。
【００２５】
次に、上記実施例１の支柱自立用固定三脚を用いたソーラーパネル架台用支柱の設置方法を、図６の工程図を用いて説明する。
先ず、整地された地面に所定間隔の基に多数の支柱立て込み位置をマーキングし、図６(ａ) に示すように、マーキング位置にアースオーガー等を用い、所定の大きさの縦穴６を開ける（第１工程）。
【００２６】
次に、図６(ｂ) に示すように、縦穴６の芯に支柱自立用固定三脚の中心がくるようにセットし、縦穴６内に差し込んだ支柱３の下端を縦穴６の底部６ａから浮かせた状態で固定手段４により垂直に自立固定させる（第２工程）。
【００２７】
次に、図６(ｃ) に示すように、前記縦穴６にコンクリートを流し込んで固めることにより、コンクリート基礎７に対し支柱３を垂直状態に立設固定する（第３工程）。
【００２８】
次に、図６(ｄ) に示すように、固定手段４による支柱３の固定を解除して支柱自立用固定三脚を取り外すことにより、支柱３の設置を完了する（第４工程）。
【００２９】
以上のように、多数の支柱自立用固定三脚を用い、上述の作業工程を繰り返すことにより、広大なメガソーラー施設を効率良く短期間で設置することができる。
【００３０】
次に、この実施例１の効果を説明する。
【００３１】
この実施例１の支柱自立用固定三脚では、上述のように、下部を開いた３本の支持脚１ａ、１ｂ、１ｃの上部結束部２に、支柱３を空中に浮かせた垂直起立状態で自立支持固定可能な固定手段４を備えることで、支柱３の基礎を埋め込んだ基礎形成用コンクリートが固まるまでの間コンクリート基礎７内において支柱３を規定のレベル位置で垂直状態に立設維持させることができるようになる。
【００３２】
また、支柱３を空中に浮かせた状態で自立させることができるため、支柱３の下端をコンクリート基礎７内に埋め込むことができ、これにより、地中の水分で支柱３の下端から錆を発生させることを阻止することができる。
【００３３】
また、固定手段４は、上下２箇所に備えられた支柱受け部４１、４２と中間の固定部材４３との間に支柱３を挟持固定するもので、支柱受け部４１、４２の形状を平面視で略く字状とすることで、あらゆる断面形状の支柱３を挟持固定することができるようになる。
【００３４】
また、上部結束部４には、水準器５を備えることで、支柱３を容易かつ正確に垂直起立状態にセットすることができるようになり、これにより、支柱設置の作業効率を高めることができるようになる。
【００３５】
また、３本の支持脚１ａ、１ｂ、１ｃの内の１本１ｂに上部結束部４が固定され、残りの２本１ａ、１ｃが上部結束部４を中心として回動自在に連結されることにより３本の支持脚１ａ、１ｂ、１ｃの側面が互いに重なる状態に折り畳み可能に構成されることで、コンパクトな状態での運搬や収納が可能になる。
【００３６】
以上本実施例を説明してきたが、本発明は上述の実施例に限られるものではなく、本発明の要旨を逸脱しない範囲の設計変更等があっても、本発明に含まれる。
【００３７】
例えば、実施例１では、固定手段４として、上端結束部２１と中間結束部２２の上下２箇所に備えられた平面視で略く字状支柱受け部４１、４２と、上下両支柱受け部４１、４２の中間位置において支柱５を両支柱受け部４１、４２へ向けて押し付けて挟持固定する固定部材４３と、を備えている構成としたが、支柱３を浮かせた状態で支持固定可能であればその構成は任意である。
【００３８】
また、実施例１では、上部結束部２に水準器５を備えたが、上部結束部２に水準器載置用水平基準面を設けておいてもよい。
【符号の説明】
【００３９】
１ａ  支持脚
１ｂ  支持脚
１ｃ  支持脚
１１ａ  横バー
１１ｂ  横バー
１１ｃ  横バー
１２  縦バー
２  上部結束部
２１  上端結束部
２２  中間結束部
３  支柱
４  固定手段
４１  略く字状支柱受け部
４２  略く字状支柱受け部
４３  固定部材
４３ａ  フック状係合部
４３ｂ  締結ボルト
４３ｃ  締結ナット
５  水準器
６  縦穴
６ａ  底部
７  コンクリート基礎
【図１】
2013227734.tif 000003
【図２】
2013227734.tif 000004
【図３】
2013227734.tif 000005
【図４】
2013227734.tif 000006
【図５】
2013227734.tif 000007
【図６（ａ）】
2013227734.tif 000008
【図６（ｂ）】
2013227734.tif 000009
【図６（ｃ）】
2013227734.tif 000010
【図６（ｄ）】
2013227734.tif 000011
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
下部を開いた３本の支持脚の上部結束部に、支柱を空中に浮かせた垂直起立状態で自立支持固定可能な固定手段を備え、
前記固定手段は、前記上部結束部の上下２箇所に備えられた平面視で略く字状支柱受け部と、前記上下両支柱受け部の中間位置において支柱を上下両支柱受け部へ向けて押し付けて挟持固定する固定部材と、を備えることを特徴とする支柱自立用固定三脚。
【請求項２】
請求項１に記載の支柱自立用固定三脚において、
前記上部結束部には、水準器を備えることを特徴とする支柱自立用固定三脚。
【請求項３】
請求項１または２に記載の支柱自立用固定三脚において、
前記３本の支持脚の内の１本に前記上部結束部が固定され、残りの２本が上部結束部を中心として回動自在に連結されることにより３本の支持脚の側面が互いに重なる状態に折り畳み可能に構成されていることを特徴とする支柱自立用固定三脚。
【請求項４】
地面に縦穴を開ける第１工程と、
下部を開いた３本の支持脚の上部結束部に、支柱を空中に浮かせた垂直起立状態で自立支持固定可能な固定手段を備え、該固定手段は、前記上部結束部の上下２箇所に備えられた平面視で略く字状支柱受け部と、前記上下両支柱受け部の中間位置において支柱を上下両支柱受け部へ向けて押し付けて挟持固定する固定部材と、を備えた支柱自立用固定三脚を用い、前記縦穴内に差し込んだ支柱の下端を縦穴の底部から浮かせた状態で自立支持させる第２工程と、
前記縦穴にコンクリートを流し込んで固めることにより、コンクリート基礎に対し架台用支柱を立設固定する第３工程と、
前記固定手段による固定を解除して支柱自立用固定三脚を取り外す第４工程と、
からなることを特徴とする支柱設置方法。
【手続補正２】
【補正対象書類名】明細書
【補正対象項目名】０００６
【補正方法】変更
【補正の内容】
【０００６】
上記課題を解決するため請求項１記載の支柱自立用固定三脚は、下部を開いた３本の支持脚の上部結束部に、支柱を空中に浮かせた垂直起立状態で自立支持固定可能な固定手段を備え、
前記固定手段は、前記上部結束部の上下２箇所に備えられた平面視で略く字状支柱受け部と、前記上下両支柱受け部の中間位置において支柱を上下両支柱受け部へ向けて押し付けて挟持固定する固定部材と、を備えることを特徴とする手段とした。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、請求項２記載の支柱自立用固定三脚は、請求項１記載の支柱自立用固定三脚において、
前記上部結束部には、水準器を備えることを特徴とする手段とした。
【手続補正５】
【補正対象書類名】明細書
【補正対象項目名】０００９
【補正方法】変更
【補正の内容】
【０００９】
また、請求項３記載の支柱自立用固定三脚は、請求項１又は２に記載の支柱自立用固定三脚において、
前記３本の支持脚の内の１本に前記上部結束部が固定され、残りの２本が上部結束部を中心として回動自在に連結されることにより３本の支持脚の側面が互いに重なる状態に折り畳み可能に構成されていることを特徴とする手段とした。
【手続補正６】
【補正対象書類名】明細書
【補正対象項目名】００１０
【補正方法】変更
【補正の内容】
【００１０】
また、請求項４記載の支柱の設置方法は、
地面に縦穴を開ける第１工程と、
下部を開いた３本の支持脚の上部結束部に、支柱を空中に浮かせた垂直起立状態で自立支持固定可能な固定手段を備え、該固定手段は、前記上部結束部の上下２箇所に備えられた平面視で略く字状支柱受け部と、前記上下両支柱受け部の中間位置において支柱を上下両支柱受け部へ向けて押し付けて挟持固定する固定部材と、を備えた支柱自立用固定三脚を用い、前記縦穴内に差し込んだ支柱の下端を縦穴の底部から浮かせた状態で自立支持させる第２工程と、
前記縦穴にコンクリートを流し込んで固めることにより、コンクリート基礎に対し架台用支柱を立設固定する第３工程と、
前記固定手段による固定を解除して支柱自立用固定三脚を取り外す第４工程と、
からなることを特徴とする手段とした。
【手続補正７】
【補正対象書類名】明細書
【補正対象項目名】００１３
【補正方法】変更
【補正の内容】
【００１３】
また、固定手段は、上下２箇所に備えられた支柱受け部と中間の固定部材との間に支柱を挟持固定するもので、前記支柱受け部の形状を平面視で略く字状とすることで、あらゆる断面形状の支柱を挟持固定することができるようになる。
【手続補正８】
【補正対象書類名】明細書
【補正対象項目名】００１４
【補正方法】変更
【補正の内容】
【００１４】
請求項２記載の支柱自立用固定三脚では、上述のように、上部結束部には、水準器を備えることで、支柱を容易かつ正確に垂直起立状態にセットすることができるようになり、これにより、作業効率を高めることができるようになる。
【手続補正９】
【補正対象書類名】明細書
【補正対象項目名】００１５
【補正方法】変更
【補正の内容】
【００１５】
請求項３記載の支柱自立用固定三脚では、上述のように、３本の支持脚の内の１本に前記上部結束部が固定され、残りの２本が上部結束部を中心として回動自在に連結されることにより３本の支持脚の側面が互いに重なる状態に折り畳み可能に構成されることで、コンパクトな状態での運搬や収納が可能になる。
【手続補正１０】
【補正対象書類名】明細書
【補正対象項目名】００１６
【補正方法】変更
【補正の内容】
【００１６】
請求項４記載の支柱の設置方法では、上述のように、下部を開いた３本の支持脚の上部結束部に、支柱を空中に浮かせた垂直起立状態で自立支持固定可能な固定手段を備えた支柱自立用固定三脚を用いることで、支柱の基礎を埋め込んだ基礎形成用コンクリートが固まるまでの間コンクリート内において支柱を規定のレベル位置で垂直状態に立設維持させることができるようになる。
【手続補正１１】
【補正対象書類名】明細書
【補正対象項目名】００１７
【補正方法】変更
【補正の内容】
【００１７】
また、上述のように、支柱を空中に浮かせた状態で自立させることができるため、支柱の下端をコンクリート内に埋め込むことができ、これにより、地中の水分で支柱の下端から錆を発生させることを阻止することができる。
また、固定手段は、上下２箇所に備えられた支柱受け部と中間の固定部材との間に支柱を挟持固定するもので、前記支柱受け部の形状を平面視で略く字状とすることで、あらゆる断面形状の支柱を挟持固定することができるようになる。